(57)【要約】【課題】コーストニュートラル制御中にアクセルペダルが踏み込まれた場合であっても駆動力不足を抑制する車両制御装置を提供する。【解決手段】駆動源と車輪との間に摩擦締結要素および変速機を設けた車両を制御する車両制御装置であって、アクセルペダルの踏み込みがなくなったコースト走行時にブレーキペダルが踏み込まれると摩擦締結要素を解放し、駆動源の回転速度を摩擦締結要素が締結している場合の駆動源の最小回転速度よりも低い所定回転速度とするコーストニュートラル制御を実行するコーストニュートラル制御手段と、コーストニュートラル制御中に摩擦締結要素の入出力軸間における回転速度差を低減するように変速機の変速比を変更する変速手段とを備える。【選択図】図２
2014145373.tif 000002
【特許請求の範囲】
【請求項１】
駆動源と車輪との間に摩擦締結要素および変速機を設けた車両を制御する車両制御装置であって、
アクセルペダルの踏み込みがなくなったコースト走行時にブレーキペダルが踏み込まれると前記摩擦締結要素を解放し、前記駆動源の回転速度を前記摩擦締結要素が締結している場合の前記駆動源の最小回転速度よりも低い所定回転速度とするコーストニュートラル制御を実行するコーストニュートラル制御手段と、
前記コーストニュートラル制御中に前記摩擦締結要素の入出力軸間における回転速度差を低減するように前記変速機の変速比を変更する変速手段とを備えることを特徴とする車両制御装置。
【請求項２】
請求項１に記載の車両制御装置であって、
前記摩擦締結要素は前記駆動源と前記変速機との間に設けられ、
前記変速手段は、前記変速機の入力回転速度が、前記コーストニュートラル制御中に前記最小回転速度よりも低くなるように前記変速比を変更することを特徴とする車両制御装置。
【請求項３】
請求項２に記載の車両制御装置であって、
前記変速手段は、前記コーストニュートラル制御中に前記変速機の入力回転速度を前記駆動源の回転速度と等しくするように前記変速比を変更することを特徴とする車両制御装置。
【請求項４】
請求項１から３のいずれか一つに記載の車両制御装置であって、
前記変速手段は、前記コーストニュートラル制御中に車速が所定値以下となると前記変速比をＬｏｗ側に変更することを特徴とする車両制御装置。
【請求項５】
請求項４に記載の車両制御装置であって、
前記車両の減速度を検出する減速度検出手段と、
前記車両の減速度が大きくなるほど前記所定値を高くすることを特徴とする車両制御装置。
【請求項６】
請求項４または５に記載の車両制御装置であって、
油温を検出する油温検出手段を備え、
前記油温が第１所定油温よりも低くなるほど、または前記第１所定油温よりも高い第２所定油温よりも高くなるほど前記所定値を高くすることを特徴とする車両制御装置。
【請求項７】
請求項４から６のいずれか一つに記載の車両制御装置であって、
前記変速比をＬｏｗ側に変更する場合に、前記駆動源の回転速度を前記所定回転速度よりも大きくする回転速度制御手段を備えることを特徴とする車両制御装置。
【請求項８】
駆動源と車輪との間に摩擦締結要素および変速機を設けた車両を制御する車両制御方法であって、
アクセルペダルの踏み込みがなくなったコースト走行時にブレーキペダルが踏み込まれると前記摩擦締結要素を解放し、前記駆動源の回転速度を前記摩擦締結要素が締結している場合の前記駆動源の最小回転速度よりも低い所定回転速度とするコーストニュートラル制御を実行し、
前記コーストニュートラル制御中に前記摩擦締結要素の入出力軸間における回転速度差を低減するように前記変速機の変速比を変更することを特徴とする車両制御方法。
【発明の詳細な説明】
【技術分野】
【０００１】
本発明は車両制御装置および車両制御方法に関するものである。
【背景技術】
【０００２】
従来、運転者によるアクセルペダルの踏み込みがなくなるコースト走行中に、変速比が最Ｌｏｗとなるまでの間、変速機の入力回転速度の下限値をエンジンがストールせず、かつオイルポンプがＬｏｗ変速に必要な油圧を発生させることができるコースト回転速度に設定するものが特許文献１に開示されている。
【０００３】
また、コースト走行中にクラッチを解放するコーストニュートラル制御を行う技術が知られている。
【先行技術文献】
【特許文献】
【０００４】
【特許文献１】特開２００２−４８２２４号公報
【発明の概要】
【発明が解決しようとする課題】
【０００５】
特許文献１に開示される技術とこの公知技術とを組み合わせて、コースト走行中にクラッチを解放し、変速機の入力回転速度の下限値をコースト回転速度に設定することが考えられる。
【０００６】
このような技術では、コーストニュートラル制御によってクラッチが解放され、エンジンの負荷が小さくなるので、エンジン回転速度を低くすることができ、エンジンで消費される燃料を低減することができ、燃費を向上することができる。
【０００７】
しかし、上記技術では、クラッチを解放することでクラッチでは回転速度差が発生し、この回転速度差が発生している状態にて、運転者がアクセルペダルを踏み込むなど、コーストニュートラル制御を終了してクラッチを締結する場合、クラッチが回転速度差を吸収することで、発熱する。特に回転速度差が大きな状態で、このようなコーストニュートラル制御の実行と終了とが短期間に繰り返されると、クラッチが過熱され、クラッチの耐久性が低下する、といった問題点がある。
【０００８】
特に、コーストニュートラル制御中にアクセルペダルが踏み込まれた場合の加速応答性を向上させるために、コーストニュートラル制御中にクラッチを僅かに動力伝達状態としている場合には、クラッチ自身のスリップによる発熱によってクラッチの温度が高くなり、さらにクラッチの耐久性が低下する。
【０００９】
本発明はこのような問題点を解決するために発明されたもので、コーストニュートラル制御を実行する場合に、エンジンの負荷を低減して燃費を向上し、かつクラッチの温度上昇を抑制し、クラッチの耐久性低下を抑制することを目的とする。
【課題を解決するための手段】
【００１０】
本発明のある態様に係る車両制御装置は、駆動源と車輪との間に摩擦締結要素および変速機を設けた車両を制御する車両制御装置であって、アクセルペダルの踏み込みがなくなったコースト走行時にブレーキペダルが踏み込まれると摩擦締結要素を解放し、駆動源の回転速度を摩擦締結要素が締結している場合の駆動源の最小回転速度よりも低い所定回転速度とするコーストニュートラル制御を実行するコーストニュートラル制御手段と、コーストニュートラル制御中に摩擦締結要素の入出力軸間における回転速度差を低減するように変速機の変速比を変更する変速手段とを備える。
【００１１】
本発明の別の態様に係る車両制御方法は、駆動源と車輪との間に摩擦締結要素および変速機を設けた車両を制御する車両制御方法であって、アクセルペダルの踏み込みがなくなったコースト走行時にブレーキペダルが踏み込まれると摩擦締結要素を解放し、駆動源の回転速度を摩擦締結要素が締結している場合の駆動源の最小回転速度よりも低い所定回転速度とするコーストニュートラル制御を実行し、コーストニュートラル制御中に摩擦締結要素の入出力軸間における回転速度差を低減するように変速機の変速比を変更する。
【発明の効果】
【００１２】
これら態様によると、コーストニュートラル制御中に摩擦締結要素の入出力軸間における回転速度差を低減することで、駆動源の負荷を低減して燃費を向上し、かつ摩擦締結要素の温度上昇を抑制し、摩擦締結要素の耐久性低下を抑制することができる。
【図面の簡単な説明】
【００１３】
【図１】本実施形態の車両を示す概略構成図である。
【図２】本実施形態のコーストニュートラル制御を説明するフローチャートである。
【図３】減速度と戻し車速との関係を示すマップである。
【図４】本実施形態のコーストニュートラル制御を説明するタイムチャートである。
【図５】本実施形態のコーストニュートラル制御を説明するタイムチャートである。
【発明を実施するための形態】
【００１４】
本発明の実施形態について図１を用いて説明する。図１は、本実施形態の車両を示す概略図である。車両は、エンジン５と、トルクコンバータ６と、前後進切替機構７と、無段変速機１と、コントローラ１２と、オイルポンプ２０とを備える。
【００１５】
無段変速機１はプライマリプーリ２と、セカンダリプーリ３と、ベルト４とを備える。プライマリプーリ２とセカンダリプーリ３とは両者のＶ溝が整列するよう配置される。ベルト４は、プライマリプーリ２のＶ溝とセカンダリプーリ３のＶ溝との間に掛け渡される。
【００１６】
プライマリプーリ２は、固定円錐板２ａと、可動円錐板２ｂとを備え、固定円錐板２ａと可動円錐板２ｂとによってＶ溝が形成される。
【００１７】
セカンダリプーリ３は、固定円錐板３ａと、可動円錐板３ｂとを備え、固定円錐板３ａと可動円錐板３ｂとによってＶ溝が形成される。
【００１８】
可動円錐板２ｂは、ライン圧を元圧として作り出したプライマリプーリ圧がプライマリプーリ室２ｃに給排されることで、軸線方向に移動する。可動円錐板３ｂは、ライン圧を元圧として作り出したセカンダリプーリ圧がセカンダリプーリ室３ｃに給排されることで、軸線方向に移動する。このようにしてプライマリプーリ２のＶ溝の幅およびセカンダリプーリ３のＶ溝の幅が変化し、変速比が変更され、ベルト４が円錐板に摩擦係合し、プライマリプーリ２とセカンダリプーリ３との間で動力伝達を行う。
【００１９】
プライマリプーリ２の回転はベルト４を介してセカンダリプーリ３に伝達され、セカンダリプーリ３の回転はその後、出力軸８、歯車組９およびディファレンシャルギヤ装置１０を経て駆動輪１７に伝達される。
【００２０】
プライマリプーリ２と同軸にエンジン５が配置され、エンジン５とプライマリプーリ２との間にエンジン５の側から順次トルクコンバータ６および前後進切替機構７を設ける。
【００２１】
トルクコンバータ６は、ロックアップクラッチ６ａを備える。トルクコンバータ６は、ロックアップクラッチ６ａが完全に締結されたロックアップ状態と、ロックアップクラッチ６ａが完全に解放されたコンバータ状態と、ロックアップクラッチ６ａが半締結されたスリップ状態とに切り替えられる。
【００２２】
前後進切替機構７は、ダブルピニオン遊星歯車組７ａを主たる構成要素とし、そのサンギヤをトルクコンバータ６を介してエンジン５に結合し、キャリアをプライマリプーリ２に結合する。前後進切替機構７は更に、ダブルピニオン遊星歯車組７ａのサンギヤおよびキャリア間を直結する前進クラッチ７ｂ、およびリングギヤを固定する後進ブレーキ７ｃを備える。前後進切替機構７は前進クラッチ７ｂの締結時にエンジン５からトルクコンバータ６を経由した入力回転をそのままプライマリプーリ２に伝達し、後進ブレーキ７ｃの締結時にエンジン５からトルクコンバータ６を経由した入力回転を逆転減速してプライマリプーリ２へ伝達する。
【００２３】
前後進切替機構７の前進クラッチ７ｂ、および後進ブレーキ７ｃが解放されると、エンジン５と無段変速機１との間の回転の伝達は完全に遮断される。
【００２４】
オイルポンプ２０は、エンジン５の回転の一部が伝達されて駆動し、変速制御油圧回路１１にライン圧となる油を供給する。
【００２５】
変速制御油圧回路１１は、調圧弁などを備え、コントローラ１２からの信号に応答してプライマリプーリ圧およびセカンダリプーリ圧を調圧する。変速制御油圧回路１１は、前進走行レンジの選択時に締結する前進クラッチ７ｂ、および後進走行レンジの選択時に締結する後進ブレーキ７ｃの締結油圧をコントローラ１２からの信号に応答して調圧する。
【００２６】
コントローラ１２は、プライマリプーリ回転速度を検出するプライマリプーリ回転速度センサ１３からの信号と、セカンダリプーリ回転速度を検出するセカンダリプーリ回転速度センサ１４からの信号と、アクセルペダル踏み込み量を検出するアクセル開度センサ１６からの信号と、プライマリプーリ圧を検出するプライマリプーリ圧センサ１８からの信号、ブレーキ液圧を検出するブレーキ液圧センサ１９からの信号、減速度を検出するＧセンサ２１からの信号、油温を検出する油温センサ２２からの信号などが入力される。コントローラ１２は、これらの信号に基づいて無段変速機１、エンジン５を制御する信号を出力する。
【００２７】
コントローラ１２は、ＣＰＵ、ＲＯＭ、ＲＡＭなどによって構成されており、ＲＯＭに格納されたプログラムをＣＰＵによって読み出すことによって、各機能が発揮される。
【００２８】
コントローラ１２は、燃料消費量を抑制し、燃費を向上するために、以下に説明するコーストニュートラル制御を行う。
【００２９】
コーストニュートラル制御は、アクセルペダルが運転者によって踏み込まれていないコースト走行中にブレーキペダルが踏み込まれた場合に前後進切替機構７の前進クラッチ７ｂ、および後進ブレーキ７ｃを解放し、エンジン回転速度を所定回転速度とする制御である。これにより、エンジン５での燃料消費量を抑制する。所定回転速度は、前進クラッチ７ｂ、または後進ブレーキ７ｃが締結している場合の最小回転速度であるコースト回転速度よりも低い回転速度である。コースト回転速度は、前進クラッチ７ｂ、または後進ブレーキ７ｃが締結している場合にエンジン５がストールしない最小回転速度と、変速比を最Ｌｏｗに変更するために必要な油圧をオイルポンプ２０によって供給可能な最小回転速度とのうち高い方の回転速度に設定される。所定回転速度は、具体的にはアイドル回転速度であるが、エンジン５で消費される燃料を低減し、再加速時に要求されるトルクを素早く発生させることができる回転速度であればよい。
【００３０】
コーストニュートラル制御を実行するにあたって、コントローラ１２は、まず、例えば以下に示すコーストニュートラル条件（所定条件）ａ、ｂを判断する。
【００３１】
ａ：アクセルペダルから足が離されている（アクセル踏み込み量＝０）。
【００３２】
ｂ：ブレーキペダルが踏み込まれている（ブレーキ液圧が所定値以上）。
【００３３】
これらのコーストニュートラル条件を全て満たす場合に、コントローラ１２はコーストニュートラル制御を実行する。
【００３４】
コーストニュートラル制御中に上記コーストニュートラル条件のいずれかが満たされなくなると、コントローラ１２はコーストニュートラル制御を中止し、前進クラッチ７ｂ、または後進ブレーキ７ｃを締結し、エンジン５の回転速度が所定回転速度よりも高くなるように燃料噴射を行う。
【００３５】
次に、本実施形態のコーストニュートラル制御について図２のフローチャートを用いて説明する。以下の制御は、所定時間毎に繰り返し行われる。
【００３６】
ステップＳ１００では、コントローラ１２は、コーストニュートラル制御を実行するかどうか判定する。具体的には、上記した条件を満たすかどうか判定する。そして、コントローラ１２は、上記した条件を全て満たす場合にはステップＳ１０１へ進み、上記した条件のいずれかを満たさない場合にはステップＳ１０８へ進む。
【００３７】
ステップＳ１０１では、コントローラ１２は、コーストニュートラル制御を実行する。これにより、前進クラッチ７ｂ、および後進ブレーキ７ｃは解放され、エンジン回転速度は所定回転速度となる。
【００３８】
前進クラッチ７ｂ、または後進ブレーキ７ｃが締結している場合にも、エンジン５がストールしないように、エンジン回転速度はコースト回転速度に維持されている。しかし、前進クラッチ７ｂ、および後進ブレーキ７ｃが解放されると、エンジン５の負荷が小さくなるので、エンジン回転速度をコースト回転速度よりも小さくしてもエンジン５はストールしない。そのため、本実施形態では、コーストニュートラル制御中にエンジン回転速度をコースト回転速度よりも低い所定回転速度とし、燃費を向上させている。
【００３９】
ステップＳ１０２では、コントローラ１２は、プライマリプーリ回転速度がコースト回転速度よりも低くなり、前進クラッチ７ｂの前後、つまり前進クラッチ７ｂの入出力軸間で回転速度差が小さくなるように変速比を変更する。具体的には、プライマリプーリ回転速度がエンジン回転速度、つまり所定回転速度と等しくなるように変速比をＨｉｇｈ側に変更する。
【００４０】
前進クラッチ７ｂが解放されている場合であっても前進クラッチ７ｂ間に油が存在しており、前進クラッチ７ｂの入出力軸間で回転速度差があると、コーストニュートラル制御を終了して前進クラッチ７ｂを締結する際に、回転速度差に応じて前進クラッチ７ｂが発熱し、前進クラッチ７ｂの温度が高くなる。特に、コーストニュートラル制御中にアクセルペダルが踏み込まれた場合の加速応答性を向上させるために、コーストニュートラル制御中に前進クラッチ７ｂを僅かに動力伝達状態としている場合には、前進クラッチ７ｂ自身のスリップによる発熱によって前進クラッチ７ｂの温度が高くなる。本実施形態では、プライマリプーリ回転速度がエンジン回転速度と等しくなるように変速比を変更することで、プライマリプーリ回転速度とエンジン回転速度との回転速度差を低減し、コーストニュートラル制御を終了して前進クラッチ７ｂを締結する際の前進クラッチ７ｂの温度上昇を抑制し、前進クラッチ７ｂの耐久性低下を抑制する。
【００４１】
ステップＳ１０３では、コントローラ１２は、Ｇセンサ２１からの信号に基づいて車両の減速度を算出する。車両の減速度の算出はＧセンサ２１からの信号に限られず、車速の微分値に基づき算出してもよい。
【００４２】
ステップＳ１０４では、コントローラ１２は、変速比を最Ｌｏｗに戻し始める戻し車速（所定値）を減速度に基づいて図３に示すマップを用いて算出する。図３は減速度と戻し車速との関係を示すマップである。減速度が大きく急減速するにつれて戻し車速は高くなる。
【００４３】
ステップＳ１０５では、コントローラ１２は、セカンダリプーリ回転速度センサ１４からの信号に基づいて車速を算出する。
【００４４】
ステップＳ１０６では、コントローラ１２は、車速と戻し車速とを比較し、車速が戻し車速以下である場合にはステップＳ１０７へ進み、車速が戻し車速よりも大きい場合には本制御を終了する。
【００４５】
ステップＳ１０７では、コントローラ１２は、変速比を最Ｌｏｗに変更する。
【００４６】
車速が低くなると、次回の発進に備えて変速比を最Ｌｏｗに変更するが、減速度が大きい急減速の場合には、最Ｌｏｗに戻すための時間が短くなる。そのため、本実施形態では減速度に応じて戻し車速を算出し、急減速の場合には最Ｌｏｗに戻すタイミングを早くする。これにより、車両の停車時に変速比を確実に最Ｌｏｗとすることができる。
【００４７】
ステップＳ１００においてコーストニュートラル制御を実行しないと判定されると、ステップＳ１０８では、現在、コーストニュートラル制御中であれば解放状態または僅かに動力伝達状態とした前進クラッチ７ｂを締結状態とすることで、コーストニュートラル制御を終了する。
【００４８】
次に本実施形態のコーストニュートラル制御を実行した場合について図４、５のタイムチャートを用いて説明する。図４は車両が急減速していない場合のタイムチャートであり、図５は車両が急減速している場合のタイムチャートである。
【００４９】
まず車両が急減速していない場合について図４を用いて説明する。
【００５０】
時間ｔ０において、アクセルペダルの踏み込みがなくなると、車速が低下し、エンジン回転速度、プライマリプーリ回転速度も低下し、変速比はＨｉｇｈ側へ変更される。
【００５１】
時間ｔ１において、ブレーキペダルが踏み込まれると、コーストニュートラル制御を開始する。これにより、前進クラッチ７ｂは解放され、エンジン回転速度がコースト回転速度から所定回転速度に向けて低下する。この時、プライマリプーリ回転速度はコースト回転速度であって、前進クラッチ７ｂにおいて回転速度差が生じる。そこで、プライマリプーリ回転速度がエンジン回転速度、つまり所定回転速度に等しくなるように変速比をＨｉｇｈ側に変更し、回転速度差をゼロとする。その後プライマリプーリ回転速度が所定回転速度に維持され、車速が徐々に低下するので、変速比は徐々にＬｏｗ側に変更される。
【００５２】
時間ｔ２において、車速が十分に低くなり、車速が戻し車速となると、次回の発進に備えて変速比を最Ｌｏｗに変更する。
【００５３】
次に車両が急減速している場合について図５を用いて説明する。
【００５４】
時間ｔ０において、アクセルペダルの踏み込みがなくなると、車速が低下し、エンジン回転速度、プライマリプーリ回転速度が低下し、変速比はＨｉｇｈ側へ変速する。
【００５５】
時間ｔ１において、ブレーキペダルが踏み込まれると、コーストニュートラル制御を開始する。これにより、前進クラッチ７ｂは解放され、エンジン回転速度がコースト回転速度から所定回転速度に向けて低下する。この時、プライマリプーリ回転速度はコースト回転速度であって、前進クラッチ７ｂにおいて回転速度差が生じる。そこで、プライマリプーリ回転速度がエンジン回転速度に等しくなるように変速比をＨｉｇｈ側に変更し、回転速度差をゼロとする。今回は、車両の減速度が大きいので、戻し車速は高くなる。その後プライマリプーリ回転速度が所定回転速度に維持され、車速が徐々に低下するので、変速比は徐々にＬｏｗ側に変更される。
【００５６】
時間ｔ２において、車速が戻し車速となると、変速比を最Ｌｏｗに変更する。車両が急減速しているので、図４の場合と比較すると、戻し車速が高くなり、変速比を最Ｌｏｗに変更させるタイミングが早くなる。
【００５７】
次に本実施形態の効果について説明する。
【００５８】
エンジン回転速度が、前進クラッチ７ｂが締結している場合のコースト回転速度よりも低い所定回転速度となるコーストニュートラル制御中に、前進クラッチ７ｂの入出力軸間における回転速度差が小さくなるように変速比を変更する。これにより、エンジン回転速度を低下させて、エンジン５における燃料消費を低減し、燃費を向上し、かつ前進クラッチ７ｂの回転速度差を低減させることにより、コーストニュートラル制御中の運転者がアクセルペダルを踏み込むことにより前進クラッチ７ｂを締結する際の前進クラッチ７ｂの温度上昇を抑制し、前進クラッチ７ｂの耐久性低下を抑制することができる（請求項１、８に対応する効果）。
【００５９】
コーストニュートラル制御中に、プライマリプーリ回転速度が、コースト回転速度よりも低くなるように変速比を変更することで、前進クラッチ７ｂの入出力軸間における回転速度差が小さくなり、前進クラッチ７ｂを締結する際の温度上昇を抑制し、前進クラッチ７ｂの耐久性低下を抑制することができる（請求項２に対応する効果）。
【００６０】
コーストニュートラル制御中に、プライマリプーリ回転速度が所定回転速度に等しくなるように変速比を変更することで、前進クラッチ７ｂの入出力軸間における回転速度差がなくなり、前進クラッチ７ｂを締結する際の温度上昇を抑制し、前進クラッチ７ｂの耐久性低下を抑制することができる（請求項３に対応する効果）。
【００６１】
コーストニュートラル制御中に、車速が戻り車速以下になると変速比を最Ｌｏｗに変更することで、停車時に確実に変速比を最Ｌｏｗとすることができ、次回の発進性を向上することができる（請求項４に対応する効果）。
【００６２】
コーストニュートラル制御中に、減速度に基づいて戻し車速を算出し、減速度が大きいほど戻し車速を高くし、車速が戻し車速以下となると変速比を最Ｌｏｗに変更することで、停車時に確実に変速比を最Ｌｏｗとすることができ、次回の発進性を向上することができる（請求項５に対応する効果）。
【００６３】
また、コーストニュートラル制御中に、前進クラッチ７ｂにおける回転速度差を低減させることで、前進クラッチ７ｂの摩擦板間に介在する油の温度上昇を抑制し、作動油温や前進クラッチ７ｂなどの温度上昇を抑制することができる。
【００６４】
上記実施形態では、前進クラッチ７ｂにおいて説明したが、これに限られることはなく、後進ブレーキ７ｃなどに適用してもよい。また、無段変速機１を用いて説明したが、これに限られることはなく、有段変速機、デュアルクラッチ式の変速機などに適用してもよい。
【００６５】
上記実施形態では、トルクコンバータ６と無段変速機１との間に設けた前後進切替機構７の前進クラッチ７ｂ、および後進ブレーキ７ｃを解放したが、これに限られることはなく、無段変速機１と駆動輪１７との間にクラッチ機構を設け、クラッチ機構を解放してもよい。この構成によっても、クラッチ機構の入出力軸間における回転速度差が小さくなるように変速比を変更することで、クラッチ機構を締結する際の温度上昇を抑制し、クラッチ機構の耐久性低下を抑制することができる。
【００６６】
上記実施形態では、減速度に基づいて戻し車速を算出したが、これに加えて油温に基づいて戻し車速を算出してもよい。油温センサ２２からの信号に基づく油温が第１所定油温よりも低い場合、または第１所定油温よりも高い第２所定油温よりも高い場合に戻し車速を高くする。第１所定油温は、油の粘性が高くなり、変速比を変更するための時間が長くなる油温である。第２所定油温は、油の粘性が低くなり、リーク量が多くなり、変速比を変更するための時間が長くなる油温である。第１所定油温、および第２所定油温は予め設定される。油温に応じて変速比を最Ｌｏｗに変更することで、停車時に確実に変速比を最Ｌｏｗとすることができ、次回の発進性を向上することができる（請求項６に対応する効果）。
【００６７】
変速比を最Ｌｏｗに戻す場合には、エンジン回転速度を所定回転速度よりも高くし、オイルポンプ２０から吐出される油の流量を多くしてもよい。これにより、変速比を変更するための油圧を確保し、確実に変速比を最Ｌｏｗに戻すことができる（請求項７に対応する効果）。
【００６８】
コーストニュートラル条件として、車速が所定車速よりも低くなる条件を含んでも良い。
【００６９】
上記実施形態では、エンジンを駆動源として用いたが、これに限られることはなく、例えばエンジンおよび電動モータを駆動源としてもよい。
【００７０】
以上、本発明の実施形態について説明したが、上記実施形態は本発明の適用例の一部を示したに過ぎず、本発明の技術的範囲を上記実施形態の具体的構成に限定する趣旨ではない。
【符号の説明】
【００７１】
１      無段変速機（変速機）
５      エンジン（駆動源）
７      前後進切替機構（摩擦締結要素）
１２    コントローラ（コーストニュートラル制御手段、変速手段、減速度算出手段、回転速度制御手段）
【図１】
2014145373.tif 000003
【図２】
2014145373.tif 000004
【図３】
2014145373.tif 000005
【図４】
2014145373.tif 000006
【図５】
2014145373.tif 000007